(57)【要約】      （修正有）【課題】縦枠の上端を覆って脱着が容易なキャップが用いられた塀パネルを提供する。【解決手段】矩形状のパネル本体と、その左右端部に相対向して取付けられた縦枠２と、縦枠２間に配置されて、パネル本体の上下端部に相対向して取付けられた横枠３とを備え、縦枠２は、前側壁２１と後側壁２２と、左右に間隔をおいて設けられた内側壁２３と外側壁２４とによって中空部２５が形成されるとともに、上端部にキャップ５が取付けられ、キャップ５は、縦枠２の上端２８を覆う蓋部５１と、縦枠２の中空部２５に挿入されて、縦枠２の外側壁２４に設けられた係止部２４ｂに係脱自在に係止される係合部５３が形成された挿入部５２とを備えるように構成する。【選択図】図７
2014051793.tif 000002
【特許請求の範囲】
【請求項１】
矩形状のパネル本体と、前記パネル本体の左右端部に相対向して取付けられた縦枠と、前記縦枠間に配置されて、前記パネル本体の上下端部に相対向して取付けられた横枠とを備え、前記縦枠は、前後に間隔をおいて設けられた前側壁と後側壁と、左右に間隔をおいて設けられた内側壁と外側壁とによって中空部が形成されるとともに、上端部にキャップが取付けられ、前記キャップは、前記縦枠の上端を覆う蓋部と、該縦枠の中空部に挿入されて、該縦枠の外側壁に設けられた係止部に係脱自在に係止される係合部が形成された挿入部とを備えたことを特徴とする塀パネル。
【請求項２】
前記キャップの挿入部に形成された係合部は、該挿入部の外周面に形成された突起であって、縦枠の外側壁に設けられた係止部は、前記突起が係脱自在に係止される係止孔であることを特徴とする請求項１に記載の塀パネル。
【発明の詳細な説明】
【技術分野】
【０００１】
本発明は、自動車等からの騒音が発生する道路近傍の住宅、工場、公園等の敷地境界部や隣地境界部に沿って取付けられる塀の塀パネルに関するものである。
【背景技術】
【０００２】
住宅、工場、公園等の敷地境界部や隣地境界部に沿って取付けられる塀は、一般には支柱間に鋼線材を格子状に組んだ格子体、金属板や金属板と樹脂板とを積層した積層体等の板材、ルーバー材等を取付けたものが用いられている。
【０００３】
支柱間に板材を取付けた塀の場合は、一般には板材の外周に枠材を配置して、その枠材を介して支柱に取付けられている。この枠材において、縦枠と横枠とを組み合わせて用いる場合が多いため、枠材の角部においては、横枠の端部が縦枠に当接された形態や、逆に縦枠の端部が横枠に当接される形態や、横枠及び縦枠の端部をそれぞれ斜めに切断して、その切断面を重合させる形態等が知られている。
【０００４】
例えば、横枠の端部が縦枠に当接された形態として、特許文献１に記載されるように、木製のパネル体の上下の木製横枠と左右の木製縦枠とをそれぞれ金属製の上下の金属横枠と左右の金属縦枠とで囲んで固着したものであって、上下の各金属横枠の左右の端面部をそれぞれ左右の金属縦枠の上下端部の側面に突き当てて固着して成る塀パネルが知られている。
【先行技術文献】
【特許文献】
【０００５】
【特許文献１】実公平０３−４９３５６号公報
【発明の概要】
【発明が解決しようとする課題】
【０００６】
ところで、特許文献１に記載の塀パネルにおいては、金属横枠の端面部を固着する際、金属縦枠の外側からねじ具を取付けるため、外側にねじ具の頭部が露出する。また、一般に塀の組立方法は、既設の支柱間に塀パネルを取付ける場合が多い。したがって、支柱と塀パネルとの隙間からねじ具のねじ山に雨水等が当たると錆びてしまい、塀パネルの修繕や幅詰め等の縦枠から横枠を外す作業が難しくなる。そこで、縦枠の上端を覆うキャップやカバー材が用いられることが多いが、このキャップ等にねじ具を用いると、前記と同様な錆の問題が生じるおそれがあった。
【０００７】
本発明は、前記の如き問題点を解消し、縦枠の上端を覆って脱着が容易なキャップが用いられた塀パネルを提供するものである。
【課題を解決するための手段】
【０００８】
上記目的を達成するために、本発明は次のような構成としている。
すなわちこの発明に係る塀パネルは、矩形状のパネル本体と、前記パネル本体の左右端部に相対向して取付けられた縦枠と、前記縦枠間に配置されて、前記パネル本体の上下端部に相対向して取付けられた横枠とを備え、前記縦枠は、前後に間隔をおいて設けられた前側壁と後側壁と、左右に間隔をおいて設けられた内側壁と外側壁とによって中空部が形成されるとともに、上端部にキャップが取付けられ、前記キャップは、前記縦枠の上端を覆う蓋部と、該縦枠の中空部に挿入されて、該縦枠の外側壁に設けられた係止部に係脱自在に係止される係合部が形成された挿入部とを備えたことを特徴とするものである。
【０００９】
前記キャップにおいて、前記キャップの挿入部に形成された係合部は、該挿入部の外周面に形成された突起であって、縦枠の外側壁に設けられた係止部は、前記突起が係脱自在に係止される係止孔であるものが好ましい。
【発明の効果】
【００１０】
本発明によれば、縦枠の上端部に取付けられたキャップは、縦枠の上端を覆う蓋部と、該縦枠の中空部に挿入されて、該縦枠の外側壁に設けられた係止部に係脱自在に係止される係合部が形成された挿入部とを備えたものであるので、縦枠に対するキャップの取付け、取り外し作業が容易である。
【００１１】
また、前記キャップにおいて、前記キャップの挿入部に形成された係合部は、該挿入部の外周面に形成された突起であって、縦枠の外側壁に設けられた係止部は、前記突起が係脱自在に係止される係止孔であるものにすれば、前記突起を縦枠の内部に向けて押すことで、キャップを外せるので、例えば、ねじ具用のドライバー等で突起を押してキャップを外し、続いてねじ具を取り外せるので、組み立てられた塀パネルの幅詰め作業の時に効率良く作業ができる。
【図面の簡単な説明】
【００１２】
【図１】本発明に係る塀パネルの実施の一形態を示す正面図である。
【図２】図１のＡ−Ａ断面における拡大断面図である。
【図３】図１のＢ−Ｂ端面における拡大端面図である。
【図４】図１において縦枠と横枠との接続箇所付近の拡大斜視図である。
【図５】図４の部分分解説明図である。
【図６】図１において縦枠に取付けられたキャップ付近の拡大斜視図である。
【図７】図６の部分分解説明図である。
【図８】図７の別方向から見た部分分解説明図である。
【図９】本発明に係る塀パネルの実施の一形態を示す正面図である。
【図１０】図９のＣ−Ｃ断面における拡大断面図である。
【図１１】図９の取付部材付近の拡大正面図である。
【図１２】本発明に係る塀パネルの他の実施形態を示す正面図である。
【図１３】図１２のＤ−Ｄ断面における拡大断面図である。
【図１４】図１２の取付部材付近の拡大正面図である。
【発明を実施するための形態】
【００１３】
次に、本発明を実施するための最良の形態について図面を参照し、具体的に説明する。
【００１４】
図面において、１はパネル本体、２，３はパネル本体１に取付けられる縦枠、横枠、４は縦枠２に横枠３を取付けるためのねじ具。５は縦枠の上端部に取付けられるキャップであって、本形態に係る塀パネルＰは、主にパネル本体１、縦枠２、横枠３、ねじ具４及びキャップ５から構成されている。
【００１５】
図１〜３は、本発明に係る塀パネルの実施の一形態を示す説明図であり、図１は正面図、図２は図１においてパネル本体１と縦枠２との関係を示すＡ−Ａ断面における拡大断面図、図３は図１においてパネル本体１と横枠３との関係を示すＢ−Ｂ端面における拡大端面図である。パネル本体１は、矩形状の板材であって、本形態では、合成樹脂からなる芯材の表裏両面に金属箔を積層した積層体板である。この金属箔を積層した三層構造により、芯材が合成樹脂であって軽量化を図りながら、比較的曲げ強度が高くなるので、塀に用いられる時に耐風荷重性が優れたものとなる。なお、パネル本体１は、本形態に限定されるものではなく、例えば、前記合成樹脂製芯材において、発泡芯材を用いてもよく、無機材料や硝子繊維や炭素繊維等を含むものでもよい。更に、パネル本体１として、金属板や、前記合成樹脂製芯材を単独で用いたものでもよく、これらを複数積層させたものを用いてもよい。
【００１６】
パネル本体１は、左右端部に縦枠２が相対向して配置され、上下端部に横枠３が相対向して配置されて、外周部が囲まれている。縦枠２は、パネル本体１の側端部１１と、横枠３の端面部３１を支持するものであって、前後に間隔をおいて設けられた前側壁２１と後側壁２２と、左右に間隔をおいて設けられた内側壁２３と外側壁２４とによって内部に中空部２５が形成されたものである。縦枠２の内側壁２３は、本形態では、パネル本体１の左右の側端部１１が挿入されるように、縦枠２の内部に向かって凹む凹溝２６が、上下方向に沿って設けられている。すなわち、前記凹溝２６を相対向させて、パネル本体１の左右端部に縦枠２が配置されている。
【００１７】
横枠３は、本形態では、長手方向に沿って中空部３２が設けられた断面略矩形状の筒型に形成され、パネル本体１の上下端部が挿入される凹溝３３が該横枠３の一側壁に左右方向に沿って形成されている。すなわち、前記凹溝３３を相対向させて、パネル本体１の上下端部に横枠２が配置されている。
【００１８】
縦枠２及び横枠３は、一般にはアルミニウム合金による押出成型してなる長尺形材を適宜長さに切断して用いられる。アルミニウム合金以外に他の金属として、ステンレス合金や鋼材を用いてもよく、これらを用いる場合は、板材をプレス加工や曲げ加工等によって成形したものでもよい。
【００１９】
続いて、縦枠２と横枠３との接続構造について、図４〜５を用いて、更に詳しく説明する。図４は縦枠２に横枠３が接続箇所付近の主要部の斜視図、図５は図４の一部分解説明図である。前記横枠３は、
前記パネル本体１の左右端部に相対向して取付けられた縦枠２間に配置されて、前記パネル本体の上下端部に相対向して取付けられている。すなわち、横枠３は、中空部３２内に長手方向に沿ってビスホール３４が形成されている。一方縦枠２の内側壁２３は、横枠３の端面部３１が当接された際に前記ビスホール３４に対応する位置に挿通孔２７が形成されて、ねじ具４を前記挿通孔２７を通してビスホール３４に螺入して、縦枠２間に横枠３を接続させる。そして、縦枠２に対して横枠３が当接される塀パネル１の残りの四隅においても同様に、ねじ具４を用いて、縦枠２に横枠３を接続される。これにより、パネル本体の外周部に縦枠２と横枠３が強固に取付けられる。
【００２０】
縦枠２の外側壁２４は、本形態では、上端部が切り欠かれて切欠部２４ａが設けられて、前記ねじ具４を締め付けるドライバー等と干渉しない構造となっているので、縦枠２と横枠３との接続作業が容易となり好ましい。前記ドライバー等が外側壁２４と干渉しなければよいので、外側壁２４にドライバーが通る程度の孔をあけて、その孔からドライバーを挿入してねじ具４を締め付けるようにしてもよい。なお、縦枠２の外側壁２４の下端部においても、切欠部を設けておけば、縦枠２と下方の横枠３との接続作業も同様な理由で容易となり好ましい。ねじ具４を外す際も取り外し作業が容易となり好ましい。
【００２１】
次に、縦枠２の上端部に取付けられるキャップ５の取付構造について、図６、７を用いて詳しく説明する。縦枠２の上端部には、キャップ５が取付けられている。キャップ５は、縦枠２の上端２８を覆う蓋部５１と、縦枠２の中空部２５内に挿入されて縦枠２の外側壁２４に設けられた後記する係止部２４ｂに係脱自在に係止される係合部５３を有する挿入部５２とを備えており、該キャップ５の蓋部５１によって前記ねじ具４の頭部４１の上方が覆われて、雨水等が直接当たらなくなり、また外部からねじ具４の頭部４１が視認できず、外観が向上する。
【００２２】
前記係合部５３は、本形態では、挿入部５２の外周面から外方に突出する突起５３ａであり、また、縦枠２の外側壁２４に形成された係止部２４ｂは係止孔２４ｃであり、そして、前期突起５３ａが前記係止孔２４ｃに係止されるように、挿入部５２が縦枠２の中空部２５内に挿入する。これにより、外側壁２４の外側から、係止孔２４ｃに係止された前記突起５３ａを中空部２５側に押すだけで、突起５３ａが係止孔２４ｃから外れ、キャップ５を縦枠から取り外すことが可能となり、その作業も容易である。
【００２３】
一般に、この種の塀パネルは、製造現場で所定の寸法に加工された、いわゆる定尺パネルを製造し、塀のコーナー部や、塀の末端部等の支柱間の距離が所定の寸法でない箇所に対しては、設置現場にて、定尺パネルを幅詰めして端尺パネルを作成する。この際、縦枠２に横枠３を接続するねじ具４を外す必要があるため、キャップ５も外す必要がある。したがって、ねじ具４を外すためのドライバー等で、縦枠２の外側壁２４の係止孔２４ｃに係止された突起５３ａを押せば、係止孔５３から外れるようにしておけば、その後のねじ具４を取り外す作業もそのドライバーをそのまま用いることができるので、作業性が向上する。
【００２４】
キャップ５の挿入部５２は、本形態では、上下方向に延びる筒状に形成され、挿入部５２の下端から該突起５３ａを間に挟んで上下方向に沿って切り溝５４を設けておけば、突起５３ａが設けられた挿入部５２の外周壁部分５５が内側に弾性変形しうるので、縦枠２にキャップ５を挿入する際、キャップ５の挿入作業が容易となる。
【００２５】
また、縦枠２の外側壁２４に係止孔２４ｃが設けられているので、後述するように、塀パネルＰを支柱６間に取付けると、前記外側壁２４が支柱６側に配置されるので、係止孔２４ｃが縦枠２の前側壁２１や後側壁２２に設けられた場合と比べて、外部からは視認されにくく、いたずら等でキャップ５を外されることが起こりにくい。
【００２６】
図８は、キャップ５と縦枠２との取付構造を別の方向から見た斜視図であり、図２は前記取付構造をキャップの下方から見た拡大断面図である。キャップ５の挿入部５２を縦枠２の中空部２５内に挿入する際、縦枠２の中空部２５内に突出するねじ具４の頭部４１と干渉しない構造となっている。すなわち、縦枠２の内側壁２３は、パネル本体１の側端部１１が挿入される凹溝２６の壁部２６ａが中空部２５に張り出して設けられ、前記壁部２６ａと、前側壁２１及び後側壁２２との間に、前記ねじ具４の頭部４１が位置している。前記凹溝２６の壁部２６ａは、ねじ具４の頭部先端４２よりも中空部２５に張り出して設けられている。一方、キャップ５の挿入部５２は、縦枠２の中空部２５内に挿入した際、内側壁２３側の外周面がねじ具４の頭部先端４２との間に隙間があくように形成され、更に、前記外周面に凹溝２６の壁部２６ａの張出先端部２６ｂが嵌合される嵌合溝５６が上下方向に沿って設けられている。これにより、キャップ５の挿入部５２とねじ具４の頭部４１とが接触せず、また、挿入部５２が縦枠２の内側壁２３側への移動が凹溝２６の壁部２６ｂに抑えられて、縦枠２の外側壁２４の係止孔２４ｃに係止した挿入部５２の突起５３ａの係止状態を保持することができる。
【００２７】
図９〜１１は、上記の塀パネルＰを用いた塀Ｆであって、図９は正面図、図１０は図９のＣ−Ｃ断面における拡大断面図、図１１は取付部材７付近の拡大正面図である。設置面に適宜間隔をおいて立設する支柱６間に塀パネルＰを取付けたものである。支柱６は、一般に強度的に安定している鋼管が用いられるが、鋼材以外に他の金属を用いてもよい。他の金属としては、アルミニウム合金、ステンレス合金等を挙げることができる。また、支柱の耐食性や耐候性を高めるために金属めっきや塗装が施されてもよい。また、本形態では、支柱６の上端に支柱キャップ６１が取付けられている。
【００２８】
支柱６に対して塀パネルＰは、取付部材７を介して取付けられている。取付部材７は、本形態では、図１０に示すように、支柱６に固着される支柱固定部７１と、塀パネルＰの縦枠２に固定されるパネル固定部７２とを備えている。支柱固定部７１は、支柱６の外周に沿って縦板状に形成されており、支柱の挿通孔（図示せず）を左右方向に貫通して支柱固定部の挿通孔（図示せず）を貫通する固定ボルトＢ１にナットＮ１が締結されて、支柱１に固定される。パネル固定部７２は、支柱固定部７１の一側端から屈曲されて、縦枠２の前側壁２１の前面に沿って縦板状に形成されており、前側壁２１及び後側壁２２に設けられた挿通孔２１ａ、２２ａを貫通してパネル固定部７２の横長孔７３を貫通する固定ボルトＢ２にナットＮ２が締結されて、縦枠２に固定される。固定ボルトＢ２の頭部は、対向する二側面が幅狭に形成された細長形状であって、頭部をねじ部の軸周りに回転させることにより、縦枠の横長孔に対して挿通可能な状態と、挿通不可の状態とに配置することができるので、作業者が一人であっても、塀の一方の面側から固定ボルトＢ２を貫通し、締結する作業ができる。
【００２９】
取付部材７は、本形態では、上下ニ箇所用いられているが、塀パネルＰの高さ寸法や、塀パネルＰの支柱６に強固に取付けることができれば、上下の一箇所のみ用いてもよく、上下三箇所以上に用いてもよい。
【００３０】
縦枠２は、本形態では、前側壁２１、後側壁２２及び外側壁２４により、支柱６側に開口する溝部２９が形成されており、更に、図１１に示すように、溝部２９を形成する前側壁２１は、前記取付部材７が取付けられる位置に対応して、支柱１側の側端部から外側壁２１側に向けて切欠部２１ｂが設けられている。これにより、取付部材７を支柱６に取付けた後、前記切欠部２１ｂに固定ボルトＢ１のねじ先端部およびナットＮ１を通して、支柱６に対して塀パネルＰを後方側から取付けることが可能となる。また、前記切欠部２１ｂは、取付部材７のパネル固定部７２によって覆われるので、外部から切欠部２１ｂが視認されず、外観も向上する。
【００３１】
図１２〜１４は、上記の塀パネルＰを用いた塀Ｆの他の形態を示すものであって、図１２は正面図、図１３は図１２のＤ−Ｄ断面における拡大断面図、図１４は取付部材７付近の拡大正面図である。図９〜１１に示された塀Ｆと比べて、取付部材７の形状、取付部材７を固定するための固定ボルトＢ１の挿入方向、縦枠２の前側壁２１に切欠部２１ｂが設けられていない点が主に異なるものであって、他については同様であるので、以下、主に異なる点について更に詳しく説明する。
【００３２】
本形態に係る取付部材７は、支柱固定部７１が支柱６の外周に沿って縦板状に形成され、その左右両端部から左右方向にパネル固定部７２が形成された平面視ハット型に形成されている。支柱取付部７１は、支柱６の前面に配置され、支柱固定部７１及び支柱を前後方向に貫通する固定ボルトＢ１と、ナットＮ２によって締結されている。また、パネル固定部７２は、図９〜１１に示された塀Ｆと同様に、前側壁２１及び後側壁２２に設けられた挿通孔２１ａ、２２ａを貫通してパネル固定部７２の横長孔７３を貫通する固定ボルトＢ２と、ナットＮ２によって締結されて、縦枠２に固定される。
【産業上の利用可能性】
【００３３】
本発明は、塀パネルＰにおける縦枠２のキャップ５の取付け、取り外しが容易であるので、支柱６間に塀パネルＰを取付けて塀Ｆを形成するのみでなく、屋外において、仮設される間仕切りの仕切り板としても好適に用いることができる。
【符号の説明】
【００３４】
１    パネル本体
１１  側端部
２    縦枠
２１  前側壁
２１ａ  挿通孔
２１ｂ  切欠部
２２  後側壁
２２ａ  挿通孔
２３  内側壁
２３ａ  挿通孔
２４  外側壁
２４ａ  切欠部
２４ｂ  係止部
２４ｃ  係止孔
２５  中空部
２６  凹溝
２６ａ  壁部
２７  挿通孔
２８  上端
２９  溝部
３    横枠
３１  端面部
３２  中空部
３３  凹溝
３４  ビスホール
４    ねじ具
４１  頭部
４２  頭部先端
５    キャップ
５１  蓋部
５２  挿入部
５３  係合部
５３ａ  突起
５４  切り溝
５５  外周壁部分
５６  嵌合溝
６    支柱
６１  支柱キャップ
７    取付部材
７１  支柱固定部
７２  パネル固定部
７３  横長孔
Ｂ１、Ｂ２  固定ボルト
Ｆ    塀
Ｎ１、Ｎ２  ナット
Ｐ    塀パネル
【図１】
2014051793.tif 000003
【図２】
2014051793.tif 000004
【図３】
2014051793.tif 000005
【図４】
2014051793.tif 000006
【図５】
2014051793.tif 000007
【図６】
2014051793.tif 000008
【図７】
2014051793.tif 000009
【図８】
2014051793.tif 000010
【図９】
2014051793.tif 000011
【図１０】
2014051793.tif 000012
【図１１】
2014051793.tif 000013
【図１２】
2014051793.tif 000014
【図１３】
2014051793.tif 000015
【図１４】
2014051793.tif 000016